(57)【要約】【課題】比較的簡単な構成で位置決め精度と搬送性の向上を図る。【解決手段】束搬送ガイド板下９１には、ポリエステルフィルム等の可撓性部材である第１ないし第４のガイド４００ａ，４００ｂ，４００ｃ，４００ｄが搬送中心に対して対称的に且つ束搬送ガイド板下９１のベース側の部材９１ａに対して斜めに貼り付けられ、板厚は第１及び第２のガイド４００ａ，４００ｂが０．１２５ｍｍ、第３及び第４のガイド４００ｃ，４００ｄが０．２５ｍｍに設定され、左右非対称とし、用紙に対する抗力も搬送中心に対して非対称に設定する。【選択図】図２５
2006131346.tif 000002
【特許請求の範囲】
【請求項１】
１枚から複数枚の重なりあった記録シートを搬送するシート搬送用のガイド部材において、
前記ガイド部材は平行に対向するガイド面を持つ２つのガイド板からなり、当該ガイド板の一方にはシート搬送方向と平行な端面を備え、且つシート搬送方向と平行な方向に可撓性を有する可撓性部材を配置したことを特徴とするガイド部材。
【請求項２】
前記可撓性部材は前記ガイド板のシート搬送中心に対してほぼ対称に複数枚配置されていることを特徴とする請求項１記載のガイド部材。
【請求項３】
前記可撓性部材は曲げをもたない一つの平面からなり、ガイド板に対して角度を持って配置されてことを特徴とする請求項１記載のガイド部材。
【請求項４】
前記可撓性部材は、前記シートに対する抗力がシート搬送中心に対して左右非対称であることを特徴とする請求項１ないし３のいずれか１項に記載のガイド部材。
【請求項５】
前記可撓性部材の板厚を左右で非対称としたことを特徴とする請求項４記載のガイド部材。
【請求項６】
請求項１ないし５のいずれか１項に記載のガイド部材を備えていることを特徴とするシート積載装置。
【請求項７】
画像形成後の記録シートに対して所定の処理を行うシート処理装置において、
前記記録シートを受け入れる入口部と、
所定の処理を施す処理部まで前記記録シートを搬送する搬送部と、
前記記録シートに対して所定の処理を施すための略垂直又は急傾斜したシート処理部と、
前記シート処理部の最下方に設けられ、前記処理時の位置決めを行う位置決め部材と、
前記位置決め部材の上方に設けられ、前記所定の処理を施す処理機構と、
前記位置決め部材と前記処理機構の間に設けられた請求項１ないし５のいずれか１項に記載のガイド部材と、
を備えていることを特徴とするシート処理装置。
【請求項８】
画像形成後の記録シートに対して所定の処理を行うシート処理装置において、
前記記録シートを受け入れる入口部と、
所定の処理を施す処理部まで前記記録シートを搬送する搬送部と、
前記記録シートを整合しスティプル処理を施す略垂直又は急傾斜したスティプル処理部と、
スティプルされたシート束に折りを施す略垂直又は急傾斜した折り処理部と、
スティプル処理された記録シート束を排出する第１排紙部と、
排出された記録シートを積載する第１排紙トレイと、
折りを施された前記記録シート束を排出する第２排紙部と、
排出された前記記録シート束を積載する第２排紙トレイと、
を有し、
前記折り処理部には折りプレートと折りローラからなる折処理機構が、
前記折り処理部の下流側には折り位置を決定するサイズごとに移動可能な位置決め部材とこの位置決め部材の移動範囲をカバーするガイド板がそれぞれ設けられ、
前記ガイド板が請求項１ないし５のいずれか１項に記載のガイド部材からなることを特徴とするシート処理装置。
【請求項９】
請求項１ないし５のいずれか１項に記載のガイド部材を備えていることを特徴とする画像形成装置。
【請求項１０】
請求項６記載のシート積載装置を備えていることを特徴とする画像形成装置。
【請求項１１】
請求項７または８に記載のシート処理装置を備えていることを特徴とする画像形成装置。
【発明の詳細な説明】
【技術分野】
【０００１】
この発明は、シートに折りを施す折り機構及び装置に付随して設けられるガイド板、このガイド板を備えたシート積載装置と、前記ガイド板を搭載する中綴じ製本等を行うフィニッシャ装置等のシート処理装置、および前記ガイド板、前記シート積載装置あるいは前記シート処理装置を一体または別体に備えた複写機、プリンタ、ファクシミリ、あるいはデジタル複合機などの画像形成装置に関する。
【背景技術】
【０００２】
１枚の用紙を搬送するガイド板間の隙間は一般的に狭いほうが耳折れ、ジャムといった不具合が少なく良好な搬送性を確保できることは一般的によく知られている。そこで多くのガイド板の隙間は１〜３ｍｍ程度で構成されることが多い。しかし、後処理装置の場合は用紙を複数枚重ねた用紙束に後処理を施すために複数枚重ねた用紙を搬送する必要がある。この場合はかなり大きな隙間をとったガイド板構成にする必要がある。
【０００３】
しかし、ガイド板の隙間を大きくとることはその隙間内で用紙が自由な形状を取ることが出来ることなり、搬送上の不具合につながるのはもちろんのこと、そのガイド板内で滞留した用紙束の位置決めを行い後処理を施すといった場合には用紙束のカールや座屈によりその位置決め精度が著しく低下してしまうという問題がある。
【０００４】
そこで、例えば特許文献１記載には、画像形成装置によって画像が記録された複数のシートに対してステープルによる綴じ込みを行うステープラと、前記ステープラによってシートの端部に対して綴じ込みが行われる位置で、所定の進行方向に進行してくるシートをスタックさせる第１のスタック手段と、前記第１のスタック手段より前記進行方向の下流側に設けられ、前記ステープラによってシートの中央部に対して綴じ込みが行われる位置で、前記進行方向に進行してくるシートをスタックさせる第２のスタック手段と、前記第１のスタック手段より前記進行方向の下流側に設けられ、前記ステープラにより中央部で綴じ込みが行われた複数のシートを中央部で折り曲げる折り曲げ手段と、シートの進行路を挟んで第１のギャップをおいて対向配置される部材であって、前記第１のスタック手段によりスタックされる複数のシートが前記第１のギャップに収容されるようにした第１の案内部材と、シートの進行路を挟んで前記第１のギャップよりも小さい第２のギャップをおいて対向配置される部材であって、前記第２のスタック手段によりスタックされる複数のシートが前記第２のギャップに収容されるようにした第２の案内部材とを具備することを特徴とするシート綴じ込み装置が開示されている。
【特許文献１】特開２０００−６３０３１公報
【発明の開示】
【発明が解決しようとする課題】
【０００５】
前記特許文献１記載の発明においても前記問題に取り組み、これに対する改善案が提示されているが、用紙を押さえる部分が部分的でありまた機構も複雑である。
【０００６】
本発明は、このような背景に鑑みてなされたもので、その目的は、比較的簡単な構成で位置決め精度と搬送性の向上を図ることにある。
【課題を解決するための手段】
【０００７】
前記目的を達成するため、第１の手段は、１枚から複数枚の重なりあった記録シートを搬送するシート搬送用のガイド部材において、当該ガイド部材は平行に対向するガイド面を持つ２つのガイド板からなり、当該ガイド板の一方にはシート搬送方向と平行な端面を備え、且つシート搬送方向と平行な方向に可撓性を有する可撓性部材を配置したことを特徴とする。
【０００８】
第２の手段は、第１の手段において、前記可撓性部材は前記ガイド板のシート搬送中心に対して対称に複数枚配置されていることを特徴とする。
【０００９】
第３の手段は、第１の手段において、前記可撓性部材は曲げをもたない一つの平面からなり、ガイド板に対して角度を持って配置されてことを特徴とする。
【００１０】
第４の手段は、第１ないし第３の手段において、前記可撓性部材は、前記シートに対する抗力がシート搬送中心に対して左右非対称であることを特徴とする。
【００１１】
第５の手段は、第４の手段において、前記可撓性部材の板厚を左右で非対称としたことを特徴とする。
【００１２】
第６の手段は、第１ないし第５のいずれかの手段に係るガイド部材をシート積載装置が備えていることを特徴とする。
【００１３】
第７の手段は、画像形成後の記録シートに対して所定の処理を行うシート処理装置において、前記記録シートを受け入れる入口部と、所定の処理を施す処理部まで前記記録シートを搬送する搬送部と、前記記録シートに対して所定の処理を施すための略垂直又は急傾斜したシート処理部と、前記シート処理部の最下方に設けられ、前記処理時の位置決めを行う位置決め部材と、前記位置決め部材の上方に設けられ、前記所定の処理を施す処理機構と、前記位置決め部材と前記処理機構の間に設けられた第１ないし第５のいずれかの手段に係るガイド部材とを備えていることを特徴とする。
【００１４】
第８の手段は、画像形成後の記録シートに対して所定の処理を行うシート処理装置において、前記記録シートを受け入れる入口部と、所定の処理を施す処理部まで前記記録シートを搬送する搬送部と、前記記録シートを整合し、スティプル処理を施す略垂直又は急傾斜したスティプル処理部と、スティプルされたシート束に折りを施す略垂直又は急傾斜した折り処理部と、スティプル処理された記録シート束を排出する第１排紙部と、排出された記録シートを積載する第１排紙トレイと、折りを施された前記記録シート束を排出する第２排紙部と、排出された前記記録シート束を積載する第２排紙トレイとを有し、前記折り処理部には折りプレートと折りローラからなる折処理機構が、前記折り処理部の下流側には折り位置を決定するサイズごとに移動可能な位置決め部材とこの位置決め部材の移動範囲をカバーするガイド板がそれぞれ設けられ、前記ガイド板が第１ないし第５のいずれかの手段に係るガイド部材からなることを特徴とする。
【００１５】
第９の手段は、第１ないし第５のいずれかの手段に係るガイド部材を画像形成装置が備えていることを特徴とする。
【００１６】
第１０の手段は、第６の手段に係るシート積載装置を画像形成装置が備えていることを特徴とする。
【００１７】
第１１の手段は、第７または第８の手段に係るシート処理装置を画像形成装置が備えていることを特徴とする。
【００１８】
なお、後述の実施形態では、ガイド部材は束搬送ガイド板下９１に、ガイド板は束搬送ガイド板下９１のベース９１ａとカバー９１ｂに、可撓性部材はガイド４００ａ〜４００ｄに、シート積載装置は束搬送ガイド板下、上９１，９２に、シート処理装置は中折り処理トレイＧに、入口部は搬送路Ａに、搬送部は搬送路Ｄおよびスティプル処理トレイＦに、シート処理部は中折り処理トレイＧに、位置決め部材は可動後端フェンス７３に、処理機構は折りローラ対８１および折りプレート７４に、スティプル処理部はスティプル処理トレイＦに、折り処理部は中折り処理トレイＧに、第１排紙部はシフト排紙ローラ６に、第１排紙トレイはシフトトレイ２０２に、第２排紙部は下排紙ローラ８３に、第２排紙トレイは下トレイ２０３にそれぞれ対応する。
【発明の効果】
【００１９】
本発明によれば、平行に対向するガイド面を有する２つのガイド板からなり、その一方には用紙搬送方向と平行な端面をもち且つ搬送方向と平行に可撓性部材を配置したので、比較的簡単な構成で位置決め精度と搬送性の向上を図ることができる。
【発明を実施するための最良の形態】
【００２０】
以下、本発明の実施形態について図面を参照して説明する。
【００２１】
１．全体構成
図１は本発明の第１の実施形態に係る用紙処理装置としての用紙後処理装置と画像形成装置とからなる画像形成システムのシステム構成を示す図であり、図では、用紙後処理装置の全体と画像形成装置の一部を示している。なお、以下の実施形態では、画像を記録する記録媒体となる記録シートを用紙に代表させて説明する。
【００２２】
図１において、用紙後処理装置ＰＤは、画像形成装置ＰＲの側部に取付けられており、画像形成装置ＰＲから排出された記録媒体、ここでは用紙は用紙後処理装置ＰＤに導かれる。前記用紙は、１枚の用紙に後処理を施す後処理手段（この実施形態では穿孔手段としてのパンチユニット１００）を有する搬送路Ａを通り、上トレイ２０１へ導く搬送路Ｂ、シフトトレイ２０２へ導く搬送路Ｃ、整合およびスティプル綴じ等を行う処理トレイＦ（以下、スティプル処理トレイとも称する）へ導く搬送路Ｄへ、それぞれ分岐爪１５および分岐爪１６によって振り分けられるように構成されている。
【００２３】
画像形成装置ＰＲは、特に図示しないが入力される画像データを印字可能な画像データに変換する画像処理回路、画像処理回路から出力される画像信号に基づいて感光体に光書き込みを行う光書き込み装置、光書き込みにより感光体に形成された潜像をトナー現像する現像装置、現像装置によって顕像化されたトナー像を用紙に転写する転写装置、および用紙転写されたトナー像を定着する定着装置を少なくとも備え、トナー画像が定着された用紙を用紙後処理装置ＰＤに送り出し、用紙後処理装置ＰＤによって所望の後処理が行われる。画像形成装置ＰＲはここでは前述のように電子写真方式のものであるが、インクジェット方式、熱転写方式などの公知の画像形成装置が全て使用できる。なお、この実施形態では、前記画像処理回路、光書き込み装置、現像装置、転写装置、および定着装置とが画像形成手段を構成している。
【００２４】
搬送路ＡおよびＤを経てスティプル処理トレイＦへ導かれ、スティプル処理トレイで整合およびスティプル等を施された用紙は、偏向手段である分岐ガイド板５４と可動ガイド５５により、シフトトレイ２０２へ導く搬送路Ｃ、折り等を施す処理トレイＧ（以下、中折り処理トレイとも称する）へ振り分けられるように構成され、中折り処理トレイＧで折り等を施された用紙は搬送路Ｈを通り下トレイ２０３へ導かれる。また、搬送路Ｄ内には分岐爪１７が配置され、図示しない低荷重バネにより図の状態に保持されており、用紙後端がこれを通過した後、搬送ローラ９、１０、スティプル排紙ローラ１１の内少なくとも搬送ローラ９を逆転することで後端を用紙収容部Ｅへ導き滞留させ、次用紙と重ね合せて搬送することが可能なように構成されている。この動作を繰り返すことによって２枚以上の用紙を重ね合せて搬送することも可能である。
【００２５】
搬送路Ｂ、搬送路Ｃおよび搬送路Ｄの上流で各々に対し共通な搬送路Ａには、画像形成装置ＰＲから受け入れる用紙を検出する入口センサ３０１、その下流に入口ローラ１、パンチユニット１００、パンチかすホッパ１０１、搬送ローラ２、分岐爪１５および分岐爪１６が順次配置されている。分岐爪１５、分岐爪１６は図示しないバネにより図１の状態に保持されており、図示しないソレノイドをＯＮすることにより、分岐爪１５は上方に、分岐爪１６は下方に、各々回動することによって、搬送路Ｂ、搬送路Ｃ、搬送路Ｄへ用紙を振り分ける。
【００２６】
搬送路Ｂへ用紙を導く場合は、分岐爪１５は図１の状態で前記ソレノイドはＯＦＦ、搬送路Ｃへ用紙を導く場合は、図１の状態から前記ソレノイドをＯＮすることにより、分岐爪１５は上方に、分岐爪１６は下方にそれぞれ回動した状態となり、搬送路Ｄへ用紙を導く場合は、分岐爪１６は図１の状態で前記ソレノイドはＯＦＦ、分岐爪１５は図１の状態から前記ソレノイドをＯＮすることにより、上方に回動した状態となる。
【００２７】
この用紙後処理装置では、用紙に対して、穴明け（パンチユニット１００）、用紙揃え＋端部綴じ（ジョガーフェンス５３、端面綴じスティプラＳ１）、用紙揃え＋中綴じ（ジョガーフェンス５３、中綴じスティプラＳ２）、用紙の仕分け（シフトトレイ２０２）、中折り（折りプレート７４、折りローラ対８１）などの各処理を行うことができる。
【００２８】
２．シフトトレイ部
この用紙後処理装置ＰＤの最下流部に位置するシフトトレイ排紙部Ｉは、シフト排紙ローラ６と、戻しコロ１３と、紙面検知センサ３３０と、シフトトレイ２０２と、図２に示すシフト機構Ｊと、図３に示すシフトトレイ昇降機構Ｋとにより構成される。なお、図２はシフト機構Ｊの詳細を示す要部を拡大した斜視図、図３はシフトトレイ昇降機構Ｋの要部を拡大した斜視図である。
【００２９】
図１および図３において、符号１３はシフト排紙ローラ６から排出された用紙と接して前記用紙の後端を図２に示すエンドフェンス３２に突き当てて揃えるためのスポンジ製のコロを示す。この戻しコロ１３は、シフト排紙ローラ６の回転力で回転するようになっている。戻しコロ１３の近傍にはトレイ上昇リミットスイッチ３３３が設けられており、シフトトレイ２０２が上昇して戻しコロ１３を押し上げると、前記トレイ上昇リミットスイッチ３３３がオンしてトレイ昇降モータ１６８が停止する。これによりシフトトレイ２０２のオーバーランが防止される。また、戻しコロ１３の近傍には、図１に示すように、シフトトレイ２０２上に排紙された用紙もしくは用紙束の紙面位置を検知する紙面位置検知手段としての紙面検知センサ３３０が設けられている。
【００３０】
図１に詳細には図示していないが、紙面検知センサ３３０は、図３に示す紙面検知レバー３０と、紙面検知センサ（スティプル用）３３０ａと紙面検知センサ（ノンスティプル用）３３０ｂとから構成されている。紙面検知レバー３０は、レバーの軸部を中心に回動可能に設けられ、シフトトレイ２０２に積載された用紙の後端上面に接触する接触部３０ａと扇形の遮蔽部３０ｂとを備えている。上方に位置する紙面検知センサ（スティプル用）３３０ａは主にスティプル排紙制御に用いられ、紙面検知センサ（ノンスティプル用）３３０ｂは主にシフト排紙制御に用いられる。
【００３１】
本実施形態では、紙面検知センサ（スティプル用）３３０ａおよび紙面検知センサ（ノンスティプル用）３３０ｂは、遮蔽部３０ｂによって遮られたときにオンするようになっている。したがって、シフトトレイ２０２が上昇して紙面検知レバー３０の接触部３０ａが上方に回動すると、紙面検知センサ（スティプル用）３３０ａがオフし、さらに回動すると紙面検知センサ（ノンスティプル用）３３０ｂがオンする。用紙の積載量が所定の高さに達したことが紙面検知センサ（スティプル用）３３０ａと紙面検知センサ（ノンスティプル用）３３０ｂによって検知されると、シフトトレイ２０２はトレイ昇降モータ１６８の駆動により所定量下降する。これにより、シフトトレイ２０２の紙面位置は略一定に保たれる。
【００３２】
２．１  シフトトレイの昇降機構
シフトトレイ２０２の昇降機構について詳細に説明する。
【００３３】
図３に示すようにシフトトレイ２０２は、駆動ユニットＬにより駆動軸２１が駆動されることにより昇降する。駆動軸２１と従動軸２２との間にはタイミングベルト２３がタイミングプーリを介してテンションをもって掛けられ、このタイミングベルト２３にシフトトレイ２０２を支持する側板２４が固定されている。このように構成することにより、シフトトレイ２０２を含むユニットが昇降可能にタイミングベルト２３に吊り下げられている。
【００３４】
駆動ユニットＬは、トレイ昇降モータ１６８とウォームギア２５とから構成され、駆動源としての正逆転可能なトレイ昇降モータ１６８で発生した動力が、ウォームギヤ２５を介して駆動軸２１に固定されたギヤ列の最終ギヤに伝達され、シフトトレイ２０２を上下方向に移動させるるようになっている。動力伝達系統がウォームギヤ２５を介しているため、シフトトレイ２０２を一定位置に保持することができ、このギア構成により、シフトトレイ２０２の不意の落下事故等を防止することが可能となっている。
【００３５】
シフトトレイ２０２の側板２４には、遮蔽板２４ａが一体に形成され、下方には積載用紙の満載を検出する満杯検知センサ３３４と下限位置を検出する下限センサ３３５が配置されており、遮蔽板２４ａによって満杯検知センサ３３４と下限センサ３３５とがオン・オフされるようになっている。満杯検知センサ３３４と下限センサ３３５はフォトセンサであり、遮蔽板２４ａによって遮られたときにオンするようになっている。なお、図３において、シフト排紙ローラ６は省略している。
【００３６】
シフトトレイ２０２の揺動（シフト）機構は図２に示すように、シフトモータ１６９とシフトカム３１とからなり、シフトモータ１６９を駆動源としてシフトカム３１を回転させることにより、シフトトレイ２０２は用紙排紙方向と直交する方向に往復動する。シフトカム３１には回転軸中心から一定量離れた位置にピン３１ａが立てられ、そのピン３１ａの他端部がエンドフェンス３２の係合部材３２ａの長孔部３２ｂに遊嵌されている。係合部材３２ａはエンドフェンス３２の背面（シフトトレイ２０２が位置しない側の面）に固定され、前記シフトカム３１のピン３１ａの回動位置に応じて、用紙排紙方向と直交する方向に往復動し、これにともなってシフトトレイ２０２も用紙排紙方向と直交する方向に移動する。シフトトレイ２０２は図１において手前側と奥側の２つの位置で停止し（図２のシフトカム３１の拡大図に対応）、その停止制御はシフトカム３１の切り欠きをシフトセンサ３３６により検出し、この検出信号に基づいてシフトモータ１６９をＯＮ、ＯＦＦ制御することにより行われる。
【００３７】
エンドフェンス３２の前面側には、前記シフトトレイ２０２の案内用の突条３２ｃが設けられ、シフトトレイ２０２の後端部がこの突条３２ｃに上下動自在に遊嵌され、これにより、シフトトレイ２０２は上下動可能かつ用紙搬送方向と直交する方向に往復動可能にエンドフェンス３２に支持される。なお、エンドフェンス３２はシフトトレイ２０２上の積載紙の後端をガイドし、後端を揃える機能を有する。
【００３８】
２．２  排紙部
図４はシフトトレイ２０２への排紙部の構造を示す斜視図である。  
図１および図４において、シフト排紙ローラ６は、駆動ローラ６ａと従動ローラ６ｂを有し、従動ローラ６ｂは用紙排出方向上流側を支持され、上下方向に揺動自在設けられた開閉ガイド板３３の自由端部に回転自在に支持されている。従動ローラ６ｂは自重または付勢力により駆動ローラ６ａに当接し、用紙は両ローラ６ａ、６ｂ間に挟持されて排出される。綴じ処理された用紙束が排出される時は、開閉ガイド板３３が上方に引き上げられ、所定のタイミングで戻されるようになっており、このタイミングはシフト排紙センサ３０３の検知信号に基づいて決定される。その停止位置は排紙ガイド板開閉センサ３３１の検知信号に基づいて決定され、排紙ガイド板開閉モータ１６７により駆動される。なお、排紙ガイド板開閉モータ１６７は排紙ガイド板開閉リミットスイッチ３３２のオンオフにより駆動制御される。
【００３９】
３．スティプル処理トレイ
３．１  スティプル処理トレイの全体構成
スティプル処理を施すスティプル処理トレイＦの構成を詳細に説明する。  
図５はこのスティプル処理トレイＦを用紙搬送面に垂直な方向から見た平面図、図６はスティプル処理トレイＦとその駆動機構を示す斜視図、図７は用紙束の放出機構を示す斜視図である。まず、図６に示すように、スティプル排紙ローラ１１によってスティプル処理トレイＦへ導かれた用紙は、スティプル処理トレイＦ上に順次積載される。この場合、用紙ごとに叩きコロ１２で縦方向（用紙搬送方向）の整合が行われ、ジョガーフェンス５３によって横方向（用紙搬送方向と直交する方向−用紙幅方向とも称す）の整合が行われる。ジョブの切れ目、すなわち、用紙束の最終紙から次の用紙束先頭紙までの間で、制御装置３５０（図２３参照）からのスティプル信号により端面綴じスティプラＳ１が駆動され、綴じ処理が行われる。綴じ処理が行われた用紙束は、ただちに放出爪５２ａが突設された放出ベルト５２によりシフト排紙ローラ６へ送られ、受取り位置にセットされているシフトトレイ２０２に排出される。
【００４０】
３．２  用紙放出機構
放出爪５２ａは、図７に示すように、放出ベルトＨＰセンサ３１１によりそのホームポジションが検知されるようになっており、この放出ベルトＨＰセンサ３１１は放出ベルト５２に設けられた放出爪５２ａによりオン・オフする。この放出ベルト５２の外周上には対向する位置に２つの放出爪５２ａが配置され、スティプル処理トレイＦに収容された用紙束を交互に移動搬送する。また必要に応じて放出ベルト５２を逆回転し、これから用紙束を移動するように待機している放出爪５２ａと対向側の放出爪５２ａ’の背面でスティプル処理トレイＦに収容された用紙束の搬送方向先端を揃えるようにすることもできる。したがって、この放出爪５２ａは用紙束の用紙搬送方向の揃え手段としても機能する。
【００４１】
また、図５に示すように、放出モータ１５７により駆動される放出ベルト５２の駆動軸には、用紙幅方向の整合中心に放出ベルト５２とその駆動プーリ６２とが配置され、駆動プーリ６２に対して対称に放出ローラ５６が配置、固定されている。さらに、これらの放出ローラ５６の周速は放出ベルト５２の周速より速くなるように設定されている。
【００４２】
３．３  処理機構
図６に示すように、叩きコロ１２は支点１２ａを中心に叩きＳＯＬ（ソレノイド）１７０によって振り子運動を与えられ、スティプル処理トレイＦへ送り込まれた用紙に間欠的に作用して用紙を後端フェンス５１に突き当てる。なお、叩きコロ１２は反時計回りに回転する。
【００４３】
ジョガーフェンス５３は、正逆転可能なジョガーモータ１５８によりタイミングベルトを介して駆動され、用紙幅方向に往復移動する。
【００４４】
端面綴じスティプラＳ１は、図８のステイプラＳ１を移動機構とともに示す斜視図から分かるように、正逆転可能なスティプラ移動モータ１５９によりタイミングベルトを介して駆動され、用紙端部の所定位置を綴じるために用紙幅方向に移動する。その移動範囲の一側端には、端面綴じスティプラＳ１のホームポジションを検出するスティプラ移動ＨＰセンサ３１２が設けられており、用紙幅方向の綴じ位置は、前記ホームポジションからの端面綴じスティプラＳ１移動量により制御される。端面綴じスティプラＳ１は、図９の斜視図に示すように針の打ち込み角度を用紙端部と平行あるいは斜めに変更できるように、さらには、前記ホームポジション位置でスティプラＳ１の綴じ機構部だけを所定角度斜めに回転させ、スティプル針の交換が容易にできるように構成されている。スティプラＳ１は斜めモータ１６０によって斜め回転し、針交換位置センサ３１３によって所定の斜めの角度に、あるいは、前記針の交換位置まで達したことが検出されると、斜めモータ１６０は停止する。斜め打ちが終了し、あるいは針交換が終了すると、元の位置まで回転して次のスティプルに備える。
【００４５】
中綴じスティプラＳ２は図１および図５に示すように、後端フェンス５１から中綴じスティプラＳ２の針打ち位置までの距離が、中綴じ可能な最大用紙サイズの搬送方向長の半分に相当する距離以上となるように配置され、かつ、用紙幅方向の整合中心に対して対称に２つ配置され、ステー６３に固定されている。中綴じスティプラＳ２自体は公知の構成なので、ここでは詳細についての説明は省略するが、中綴じを行う場合、ジョガーフェンス５３で用紙の搬送方向に直交する方向が整合され、後端フェンス５１と叩きコロ５で用紙の搬送方向が整合された後、放出ベルト５２を駆動して放出爪５２で用紙束の後端部を持ち上げ、中綴じスティプラＳ２の綴じ位置に用紙束の搬送方向の中央部が位置するようにし、この位置で停止して、綴じ動作を実行させる。そして、綴じられた用紙束は、中折り処理トレイＧ側に搬送され、中折りされる。詳細は後述する。
【００４６】
なお、図中符号６４ａは前側板、６４ｂは後側板であり、符号３１０はスティプル処理トレイＦ上の用紙の有無を検出する紙有無センサである。
【００４７】
４．用紙束偏向機構
前記スティプル処理トレイＦで中綴じが行われた用紙束は用紙の中央部で中折りされる。この中折りは中折り処理トレイＧで行われる。そのためには、綴じた用紙束を中折り処理トレイＧに搬送する必要がある。この実施形態では、スティプル処理トレイＦの搬送方向最下流側に、用紙束偏向手段が設けられ、中折り処理トレイＧ側に用紙束を搬送する。用紙束偏向機構は、図１および図１５のスティプル処理トレイＦと中折り処理トレイＧ部分の拡大図に示すように分岐ガイド板５４と可動ガイド５５とからなる。分岐ガイド板５４は図１０ないし図１２の動作説明図に示すように支点５４ａを中心に上下方向に揺動自在に設けられ、その下流側に回転自在な加圧コロ５７が設けられ、スプリング５８により放出ローラ５６側に加圧される。また、分岐ガイド板５４の位置は、束分岐駆動モータ１６１より駆動力を得て回転するカム６１のカム面６１ａとの当接位置によって規定される。
【００４８】
可動ガイド５５は放出ローラ５６の回転軸に揺動自在に支持され、可動ガイド５５の一端（分岐ガイド板５４とは反対側の端部）には連結部６０ａで回動自在に連結されたリンクアーム６０が設けられている。リンクアーム６０は図５に示す前側板６４ａに固定された軸と長孔部６０ｂでされており、これにより可動ガイド５５の揺動範囲は規制される。また、スプリング５９により下方に付勢されることによって図１０の位置に保持される。さらに、束分岐駆動モータ１６１より駆動を得て回転するカム６１のカム面６１ｂによりリンクアーム６０が押されると、連結されている可動ガイド５５は上方へ回動する。束分岐ガイドＨＰセンサ３１５はカム６１の遮蔽部６１ｃを検知してカム６１のホームポジションを検知する。これにより、カム６１はそのホームポジションを基準として束分岐駆動モータ１６１の駆動パルスをカウントすることにより、停止位置の制御が行われる。
【００４９】
図１０は、カム６１がホームポジションに位置した時の分岐ガイド板５４と可動ガイド５５の位置関係を示す動作説明図である。可動ガイド５５のガイド面５５ａはシフト排紙ローラ６への経路において、用紙をガイドする機能を有する。
【００５０】
図１１は、カム６１が回転することにより、分岐ガイド板５４が支点５４ａを中心として図において反時計方向（下方）へ回動し、加圧コロ５７が放出ローラ５６側に接触して加圧している状態を示す動作説明図である。
【００５１】
図１２は、カム６１がさらに回転することにより、可動ガイド５５が図において時計方向（上方）に回動し、スティプル処理トレイＦから中折り処理トレイＧに導く経路を分岐ガイド板５４と可動ガイド５５とで形成した状態を示す動作説明図である。また、図５には奥行き方向の位置関係を示す。
【００５２】
この実施形態では、分岐ガイド板５４と可動ガイド５５は１つの駆動モータにより動作するが、個々に駆動モータを設けて、用紙サイズや綴じ枚数に応じて、移動タイミングや停止位置を制御可能に構成しても良い。
【００５３】
５．中折り処理トレイ
５．１  各部構成
図１３および図１４は中折りを行うための折りプレート７４の移動機構の動作説明図である。
【００５４】
折りプレート７４は前後側板６４ａ、６４ｂに立てられた各２本の軸６４ｃに長孔部７４ａを遊嵌することにより支持され、さらに、折りプレート７４から立設された軸部７４ｂがリンクアーム７６の長孔部７６ｂに遊嵌され、リンクアーム７６が支点７６ａを中心に揺動することにより、折りプレート７４は図１３および図１４中を左右に往復移動する。すなわち、リンクアーム７６の長孔部７６ｃに折りプレート駆動カム７５の軸部７５ｂは遊嵌されており、折りプレート駆動カム７５の回転運動によりリンクアーム７６は揺動し、これに応じて、図１５において、折りプレート７４は束搬送ガイド板下上９１，９２に対して垂直な方向に往復動する。
【００５５】
折りプレート駆動カム７５は折りプレート駆動モータ１６６により図１３中の矢印方向に回転する。その停止位置は半月形状の遮蔽部７５ａ両端部を折りプレートＨＰセンサ３２５により検知することで決定される。
【００５６】
図１３は、処理トレイＧの用紙束収容領域から完全に退避したホームポジション位置を示す。折りプレート駆動カム７５を矢印方向に回転させると折りプレート７４は矢印方向に移動し、処理トレイＧの用紙束収容領域に突出する。図１４は、処理トレイＧの用紙束中央を折りローラ８１のニップに押し込む位置を示す。折りプレート駆動カム７５を矢印方向に回転させると折りプレート７４は矢印方向に移動し、処理トレイＧの用紙束収容領域から退避する。
【００５７】
なお、この実施形態では、中折りについては用紙束を折ることを前提にしているが、この発明は１枚の用紙を折る場合でも適用できる。この場合は、１枚だけで中綴じが不要なので、１枚排紙された時点で中折り処理取り柄Ｇ側に送り込み、折りプレート７４と折りローラとによって折り処理を実行して下トレイに排紙するようにする。
【００５８】
６．制御装置
制御装置３５０は、図１６に示すように、ＣＰＵ３６０、Ｉ／Ｏインターフェース３７０等を有するマイクロコンピュータからなり、画像形成装置ＰＲ本体のコントロールパネルの各スイッチ等、および入口センサ３０１、上排紙センサ３０２、シフト排紙センサ３０３、プレスタックセンサ３０４、スティプル排紙センサ３０５、紙有無センサ３１０、放出ベルトホームポジションセンサ３１１、スティプル移動ホームポジションセンサ３１２、スティプラ斜めホームポジションセンサ３１３、ジョガーフェンスホームポジションセンサ３１４、束分岐ガイドホームポジションセンサ３１５、束到達センサ３２１、可動後端フェンスホームポジションセンサ３２２、折り部通過センサ３２３、下排紙センサ３２４、折りプレートホームポジションセンサ３２５、紙面検知センサ３３０，３３０ａ，３３０ｂ、排紙ガイド板開閉センサ３３１等の各センサからの信号がＩ／Ｏインターフェース３７０を介してＣＰＵ３６０へ入力される。
【００５９】
ＣＰＵ３６０は、入力された信号に基づいて、シフトトレイ２０２用のトレイ昇降モータ１６８、開閉ガイド板を開閉する排紙ガイド板開閉モータ１６７、シフトトレイ２０２を移動するシフトモータ１６９、叩きコロ１２を駆動する図示しない叩きコロモータ、叩きＳＯＬ１７０等の各ソレノイド、各搬送ローラを駆動する搬送モータ、各排紙ローラを駆動する排紙モータ、放出ベルト５２を駆動する放出モータ１５７、端面綴じスティプラＳ１を移動するスティプラ移動モータ１５９、端面綴じスティプラＳ１を斜めに回転させる斜めモータ１６０、ジョガーフェンス５３を移動するジョガーモータ１５８、分岐ガイド板５４および可動ガイド５５を回動する束分岐駆動モータ１６１、その束を搬送する搬送ローラを駆動する図示しない束搬送モータ、可動後端フェンス７３を移動させる図示しない後端フェンス移動モータ、折りプレート７４を移動させる折りプレート駆動モータ１６６、折りローラ８１を駆動する図示しない折りローラ駆動モータ等の駆動を制御する。スティプル排紙ローラを駆動する図示しないスティプル搬送モータのパルス信号はＣＰＵ３６０に入力されてカウントされ、このカウントに応じて叩きＳＯＬ１７０およびジョガーモータ１５８が制御される。
【００６０】
また、パンチユニット１００もクラッチやモータを制御することによりＣＰＵ３６０の指示によって穴明けを実行する。
【００６１】
なお、用紙後処理装置ＰＤの制御は前記ＣＰＵ３６０が図示しないＲＯＭに書き込まれたプログラムを、図示しないＲＡＭをワークエリアとして使用しながら実行することにより行われる。
【００６２】
７．動作
以下、前記ＣＰＵ３６０によって実行される本実施形態に係る用紙後処理装置の動作について説明する。
【００６３】
７．１  処理モードに応じた動作
本実施形態では、後処理モードに応じて下記の排出形態をとる。
【００６４】
本実施例では、後処理モードに応じて下記の排出形態をとる。
【００６５】
（１）ノンスティプルモードＡ：
このモードは、搬送路Ａから搬送路Ｂを通り、上トレイ２０１へ用紙を綴じないで排出するモードである。このモードでは、分岐爪１５が図１において時計方向に回動し、搬送路Ｂ側が開放された状態になる。
【００６６】
（２）ノンスティプルモードＢ：
このモードは、用紙を綴じることなく搬送路Ａから搬送路Ｃを経て、シフトトレイ２０２へ排出するモードである。このモードでは、分岐爪１５が反時計方向、分岐爪１６が時計方向にそれぞれ回動し、搬送路Ｃが開放された状態になる。
【００６７】
（３）ソート、スタックモード：
このモードは、用紙を搬送路Ａから搬送路Ｃを経てシフトトレイ２０２へ排出するモードであるが、その際、シフトトレイ２０２を部の区切れ毎に排紙方向と直交方向に揺動させ、シフトトレイ２０２上に排出される用紙を仕分けるモードである。このモードでは、ノンスティプルモードＢと同様に、分岐爪１５が反時計方向、分岐爪１６が時計方向にそれぞれ回動し、搬送路Ｃが開放された状態になる。
【００６８】
（４）スティプルモード：
搬送路Ａから分岐爪１５分岐爪１６で振り分けられた用紙は、搬送路Ｄに導かれ、搬送ローラ７搬送ローラ９搬送ローラ１０スティプル排紙ローラ１１により処理トレイＦに排出される。前記処理トレイＦでは、排紙ローラ１１により順次排出される用紙を整合し所定枚数に達すると端面綴じスティプラＳ１により綴じ処理を行う。その後、綴じられた用紙束は放出爪５２ａにより下流へ搬送されシフト排紙ローラ６によりシフトトレイ２０２へ排出される。またシフト排紙ローラ６の近傍に配置され用紙の排出を検出するシフト排紙センサ３０３によって排紙の状態を監視する。
【００６９】
このスティプルモード時のスティプル処理トレイＦの動作をさらに詳細に説明する。
【００７０】
スティプルモードが選択されると、図６に示すように、ジョガーフェンス５３はホームポジションより移動し、スティプル処理トレイＦに排出される用紙幅より片側７ｍｍ離れた待機位置で待機する。用紙がスティプル排紙ローラ１１によって搬送され、用紙後端がスティプル排紙センサ３０５を通過すると、ジョガーフェンス５３が待機位置から５ｍｍ内側に移動して停止する。
【００７１】
また、スティプル排紙センサ３０５は用紙後端通過時点にそれを検知し、その信号がＣＰＵ３６０に入力される。ＣＰＵ３６０ではこの信号の受信時点からスティプル排紙ローラ１１を駆動する図示しないスティプル搬送モータからの発信パルス数をカウントし、所定パルス発信後に叩きＳＯＬ１７０をオンさせる（ステップＳ４１２）。叩きコロ１２は、叩きＳＯＬ１７０のオン・オフにより振り子運動をし、オン時には用紙を叩いて下方向に戻し、後端フェンス５１に突き当てて紙揃えを行う。このとき、スティプル処理トレイＦに収容される用紙が入口センサ３０１あるいはスティプル排紙センサ３０５を通過するたびにその信号がＣＰＵ３６０に入力され、用紙枚数がカウントされる。
【００７２】
叩きＳＯＬ１７０がオフされて所定時間経過後、ジョガーフェンス５３は、ジョガーモータ１５８によってさらに２．６ｍｍ内側に移動して一旦停止し、横揃えが終了する。ジョガーフェンス５３はその後７．６ｍｍ外側に移動して待機位置に戻り、次の用紙を待つ。この動作を最終頁まで行う。その後、再び７ｍｍ内側に移動して停止し、用紙束の両側端を押えてスティプル動作に備える。その後、所定時間後に図示しないスティプルモータにより端面綴じスティプラＳ１が作動し、綴じ処理が行われる。このとき２ヶ所以上の綴じが指定されていれば、１ヶ所の綴じ処理が終了した後、スティプル移動モータ１５９が駆動され、端面綴じスティプラＳ１が用紙後端に沿って適正位置まで移動され、２ヶ所目の綴じ処理が行なわれる。また、３ヶ所目以降が指定されている場合は、これを繰返す。
【００７３】
綴じ処理が終了すると、放出モータ１５７が駆動され、放出ベルト５２が駆動される。このとき、排紙モータも駆動され、放出爪５２ａにより持ち上げられた用紙束を受け入れるべくシフト排紙ローラ６が回転し始める。このとき、ジョガーフェンス５３は用紙サイズおよび綴じ枚数に基づいて異なる制御が行われる。例えば、綴じ枚数が設定枚数より少ない、あるいは設定サイズより小さい場合には、ジョガーフェンス５３により用紙束を押えながら放出爪５２ａにより用紙束後端を引っかけ搬送する。
【００７４】
そして、紙有無センサ３１０あるいは放出ベルトＨＰセンサ３１１による検知より所定パルス後にジョガーフェンス５３を２ｍｍ退避させジョガーフェンス５３による用紙への拘束を解除する。この所定パルスは、放出爪５２ａが用紙後端と接触してからジョガーフェンス５３の先端を抜ける間で設定されている。
【００７５】
また、綴じ枚数が設定枚数より多い、あるいは設定サイズより大きい場合には、予めジョガーフェンス５３を２ｍｍ退避させ、放出を行う。いずれの場合も用紙束がジョガーフェンス５３を抜けきると、ジョガーフェンス５３は、さらに５ｍｍ外側に移動して待機位置に復帰し、次の用紙に備える。なお、用紙に対するジョガーフェンス５３の距離により拘束力を調整することも可能である。
【００７６】
（５）中綴じ製本モード：
搬送路Ａから分岐爪１５と分岐爪１６で振り分けられた用紙は、搬送路Ｄに導かれ、搬送ローラ７，９，１０およびスティプル排紙ローラ１１によりスティプル処理トレイＦに排出される。スティプル処理トレイＦでは、（４）のスティプルモード時と同様に排紙ローラ１１により順次排出される用紙を整合し、スティプルする直前までは同様の動作をする（図１７参照）。その後、図１８に示すように用紙束は放出爪５２ａにより用紙サイズ毎に設定された距離だけ搬送方向下流へ運ばれ、その中央を中綴じスティプラＳ２により綴じ処理される。綴じられた用紙束は放出爪５２ａにより搬送方向下流側へ用紙サイズ毎に設定された所定距離搬送され、一旦停止する。この移動距離は放出モータ１５７の駆動パルスにより管理される。
【００７７】
その後、図１９に示すように、用紙束の先端部は放出ローラ５６と加圧コロ５７により挟持され、分岐ガイド板５４と可動ガイド５５とが回動することによって形成される経路、すなわち中折り処理トレイＧへ導かれる経路を通過するように再度放出爪５２ａと放出ローラ５６により下流へ搬送される。この放出ローラ５６は前述のように放出ベルト５２の駆動軸に設けられ、放出ベルト５２と同期して駆動される。そして、図２０および図２１に示すように、その用紙束は束搬送ローラ上７１と束搬送ローラ下７２により、予めその用紙サイズに応じた位置にホームポジションから移動し、下側の端面をガイドするために停止している可動後端フェンス７３まで搬送される。このとき、放出爪５２ａは、放出ベルト５２の外周上に対向する位置に配置されたもう１つの放出爪５２ａ’が後端フェンス５１近傍に達した位置で停止し、分岐ガイド板５４と可動ガイド５５はホームポジションへ復帰し、次の用紙に備える。
【００７８】
図２１に示すように、可動後端フェンス７３に突き当てられた用紙束は、束搬送ローラ下７２の加圧が解除され、その後、図２２に示すように、綴じられた針部近傍が折りプレート７４により略直角方向に押され、対向する折りローラ８１のニップへと導かれる。予め回転している第１の折りローラ８１は、ニップに導かれた用紙束を加圧搬送することによって用紙束の中央に折りを施す。
【００７９】
次いで、用紙束先端は第２の折りローラ８３のニップ部に進入する。そして、図２３に示すように下排紙ローラ８３により下トレイ２０３へ排出される。その際、図２４に示すように第１の折りローラ８１にニップは開放される。また、このとき、用紙束後端が折り部通過センサ３２３に検知されると、折りプレート７４と可動後端フェンス７３はホームポジションに復帰し、束搬送ローラ下７２の加圧も復帰し、次の用紙に備える。また、次のジョブが同用紙サイズ同枚数であれば、可動後端フェンス７３はその位置で待機しても良い。
【００８０】
８．束搬送ガイド板
図２５は本実施形態に係るガイド部材、すなわち、束搬送ガイド板下９１の斜視図である。図１４においては、ジャム処理等のために束搬送ガイド板下９１を開放した状態を示す。束搬送ガイド板下９１には、図２５に示すようにポリエステルフィルム等の可撓性部材である第１ないし第４のガイド４００ａ，４００ｂ，４００ｃ，４００ｄが貼り付けられる。この第１ないし第４のガイド４００ａ〜４００ｄは図２６に示すように搬送中心に対して対称的に且つ束搬送ガイド板下９１のベース側の部材９１ａに対して斜めに貼り付けられている。図２６は束搬送ガイド板下９１を閉じた状態の束搬送ガイド板下の横断面図である。また、第１ないし第４のガイド４００ａ〜４００ｄの板厚は第１及び第２のガイド４００ａ，４００ｂが０．１２５ｍｍ、第３及び第４のガイド４００ｃ，４００ｄが０．２５ｍｍに設定され、左右非対称になっている。これにより用紙に対する抗力も搬送中心に対して非対称となる。なお、図２６では、ガイド４００ａ，４００ｂとガイド４００ｄ、４００ｃは搬送中心に対して対称な位置に設けられているが、ほぼ対称な位置であればよく、極端には、当接位置がほぼ対称であって用紙に対する抗力が非対称になっていれば、機能的には十分である。
【００８１】
以上のように、本実施形態によれば、図２７及び図２８に示すように搬送する用紙束の厚みに合わせて、ガイド板９１ａ，９１ｂ間の隙間が変化し、あるいはガイド４００ａ〜４００ｄの撓み量が変化するので用紙束の厚みの変化に対応し搬送性を確保できる。
【００８２】
また、可撓性を有するガイド４００ａ〜４００ｄを搬送中心に対し複数枚配置することにより、搬送の左右のバランスを崩すことがなくスキュー等の発生を防止できる。また、可撓性部材（ガイド）を４枚、６枚と貼ると、サイズごとに可撓性部材が用紙に与える力を調整できるので、なおさら搬送性を高く保つことができる。
【００８３】
また、ガイド板９１ａ対して図２９に示すＡやＢのように曲げもった可撓性部材（ガイド）を配置することも可能であるが、この場合、ガイド板９１ａの形状は簡単に製造できるが部品精度的に安定しない、ユーザのジャム処理等で曲げ角度が変わってしまう等の問題がある。これに対し、図２７、図２８に示したように平面を斜めに形成し、この斜めの平面にガイド４００ａ〜４００ｄ配置することによりこれらの問題は解消される。
【００８４】
また、可撓性部材（ガイド）がない場合には用紙のカールや腰の影響で図３０のように位置決めされた用紙に座屈やたわみが発生してしまう。これでは位置決め精度の確保が難しくなってしまう。しかし、図３１に示すように可撓性部材（ガイド４００ａ〜４００ｄ）を搬送方向に平行に長い範囲でガイド板９１ａ上に配置することにより、用紙はカバー９１ｂ側に偏奇され、前記問題は解消される。
【００８５】
さらに、可撓性部材（ガイド４００ａ〜４００ｄ）をガイド板９１ａ貼り付けることにより、図２７、図２８に示したように紙束の厚みに合わせて、ガイド板９１ａ，９１ｂ間の隙間が変化するので、用紙束の厚みの変化に対応し、搬送性を確保できる。
【００８６】
しかし、単に搬送中心に対して左右対称に貼り付けた場合、理論的には用紙に対する抗力は対象となるはずだが、進入してくる用紙のカール状態等で抗力が左右非対称となってしまう。一方、用紙を持ち上げる可動後端フェンス７３は構成上必ずガタをもつこととなる。さらに、用紙に対する抗力が左右非対称となると抗力の大きい方向に可動後端フェンス７３が傾くこととなる。この傾きが必ず一方向であれば、折りを行ったときのズレも必ず同じ方向となるが、抗力のバランスは必ずしも一定の方向とならないので折ズレの方向もばらついてしまうこととなる。そこで本実施形態のように予め抗力を偏向させておけば必ず同じ方向に可動後端フェンスが傾くこととなり、折ズレの方向を一定にすることが可能となり全体としての折ズレのばらつきを低減できることとなる。
【図面の簡単な説明】
【００８７】
【図１】本発明の実施形態に係る用紙後処理装置を主に示す用紙処理装置と画像形成装置ＰＲとからなる画像処理システムのシステム構成を示す図である。
【図２】本発明の実施形態に係る用紙後処理装置のシフト機構の詳細を示す要部を拡大した斜視図である。
【図３】本発明の実施形態に係る用紙後処理装置のシフトトレイ昇降機構の要部を拡大した斜視図である。
【図４】本発明の実施形態に係る用紙後処理装置のシフトトレイへの排紙部の構造を示す斜視図である。
【図５】本発明の実施形態に係る用紙後処理装置のスティプル処理トレイを用紙搬送面に垂直な方向から見た平面図である。
【図６】本発明の実施形態に係る用紙後処理装置のスティプル処理トレイとその駆動機構を示す斜視図である。
【図７】本発明の実施形態に係る用紙後処理装置の用紙束の放出機構を示す斜視図である。
【図８】本発明の実施形態に係る用紙後処理装置の端面綴じステイプラを移動機構とともに示す斜視図である。
【図９】図８における端面綴じスティプラの斜め回動機構を示す斜視図である。
【図１０】本発明の実施形態に係る用紙後処理装置の用紙束偏向機構の動作説明図で、用紙あるいは用紙束をシフトトレイに排紙するときの状態を示す。
【図１１】本発明の実施形態に係る用紙後処理装置の用紙束偏向機構の動作説明図で、図１０の状態から分岐ガイド板が放出ローラ側に回動した状態を示す。
【図１２】本発明の実施形態に係る用紙後処理装置の用紙束偏向機構の動作説明図で、図１１の状態から可動ガイドが分岐ガイド板側に回動し、中折り処理トレイ側に用紙束を偏向する経路を形成した状態を示す。
【図１３】本発明の実施形態に係る用紙後処理装置の折りプレートの移動機構の動作説明図で、中折り動作に入る前の状態を示す。
【図１４】本発明の実施形態に係る用紙後処理装置の折りプレートの移動機構の動作説明図で、中折り後、初期位置に戻るときの状態を示す。
【図１５】本発明の実施形態に係る用紙後処理装置のスティプル処理トレイと中折り処理トレイの詳細を示す図である。
【図１６】本発明の実施形態に係る画像形成システムの制御系の構成、特に用紙後処理装置の制御構成を主に示すブロック図である。
【図１７】実施形態における中綴じ製本モードにおいてスティプル処理トレイにスタックされた用紙束の状態を示す動作説明図である。
【図１８】実施形態における中綴じ製本モードにおいてスティプル処理トレイでスタックされ、中綴じされるときの状態を示す動作説明図である。
【図１９】実施形態における中綴じ製本モードにおいてスティプル処理トレイで中綴じされた用紙束を用紙束偏向機構によって偏向させる初期状態を示す動作説明図である。
【図２０】実施形態における中綴じ製本モードにおいてスティプル処理トレイで中綴じされた用紙束を用紙束偏向機構によって偏向させ、中折り処理トレイに送り込んだときの状態を示す動作説明図である。
【図２１】実施形態における中綴じ製本モードにおいて中折り処理トレイで用紙束を中折り位置に位置させたときの状態を示す動作説明図である。
【図２２】実施形態における中綴じ製本モードにおいて中折り処理トレイで中折りプレートを作動させて用紙束の中折り動作を開始した時の状態を示す動作説明図である。
【図２３】実施形態における中綴じ製本モードにおいて中折り処理トレイで用紙束を中折りローラによって中折りして排紙するときの状態を示す動作説明図である。
【図２４】実施形態における中綴じ製本モードにおいて中折り処理トレイで用紙束を中折りローラによって中折りして排紙するときに折りローラを離間させた状態を示す動作説明図である。
【図２５】本発明の実施形態に係る用紙処理装置における束搬送ガイド板のカバーを開放した状態を示す斜視図である。
【図２６】図２５の束搬送ガイド板下の横断面図である。
【図２７】図２５の束搬送ガイド板下に用紙が案内されるときの状態を示す断面図である。
【図２８】図２５の束搬送ガイド板下に用紙束が案内されるときの状態を示す断面図である。
【図２９】束搬送ガイド板下へのガイド部材の取り付け例（問題点）を示す図である。
【図３０】従来例に係る束搬送ガイド板上下間における用紙束の状態を示す図である。
【図３１】本実施形態に係る束搬送ガイド板上下間における用紙束の状態を示す図である。
【符号の説明】
【００８８】
６  シフト排紙ローラ
７３  可動後端フェンス
７４  折りプレート
８１  折りローラ対
８３  下排紙ローラ
９１  束搬送ガイド板下
９１ａ  ベース
９１ｂ  カバー
９２  束搬送ガイド板上
２０２  シフトと例
２０３  下トレイ
３６０  ＣＰＵ
４００ａ〜４００ｄ  ガイド
Ａ，Ｄ  搬送路
Ｆ  スティプル処理トレイ
Ｇ  中折り処理トレイ
ＰＤ  用紙後処理装置
ＰＲ  画像形成装置
【図１】
2006131346.tif 000003
【図２】
2006131346.tif 000004
【図３】
2006131346.tif 000005
【図４】
2006131346.tif 000006
【図５】
2006131346.tif 000007
【図６】
2006131346.tif 000008
【図７】
2006131346.tif 000009
【図８】
2006131346.tif 000010
【図９】
2006131346.tif 000011
【図１０】
2006131346.tif 000012
【図１１】
2006131346.tif 000013
【図１２】
2006131346.tif 000014
【図１３】
2006131346.tif 000015
【図１４】
2006131346.tif 000016
【図１５】
2006131346.tif 000017
【図１６】
2006131346.tif 000018
【図１７】
2006131346.tif 000019
【図１８】
2006131346.tif 000020
【図１９】
2006131346.tif 000021
【図２０】
2006131346.tif 000022
【図２１】
2006131346.tif 000023
【図２２】
2006131346.tif 000024
【図２３】
2006131346.tif 000025
【図２４】
2006131346.tif 000026
【図２５】
2006131346.tif 000027
【図２６】
2006131346.tif 000028
【図２７】
2006131346.tif 000029
【図２８】
2006131346.tif 000030
【図２９】
2006131346.tif 000031
【図３０】
2006131346.tif 000032
【図３１】
2006131346.tif 000033